【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
互いに隣接する棘突起の間において、硬膜嚢に隣接して配置される脊椎インプラント装置であって、前記棘突起は、上棘突起椎弓板接合部まで延びる上棘突起と、下棘突起椎弓板接合部まで延びる下棘突起とを含み、前記棘突起は互いに対向する一対の椎間関節の周囲に配置され、脊椎インプラント装置は、
癒合ケージであって、
棘間面を画定する表在面と、
前記硬膜嚢に隣接して配置可能な硬膜嚢面を画定する深在面と、
前記表在面および前記深在面の間に配置された上椎弓板間癒合面を画定する上サドル部であって、前記上棘突起椎弓板接合部を受け入れるように、寸法を定められかつ構成されている前記上サドル部と、
前記表在面および前記深在面の間に配置された下椎弓板間癒合面を画定する下サドル部であって、前記下棘突起椎弓板接合部を受け入れるように、寸法を定められかつ構成されている前記下サドル部と、
互いに対向するケージ端部であって、各ケージ端部は前記上椎弓板間癒合面および前記下椎弓板間癒合面の間に配置された椎間関節癒合面を画定し、前記椎間関節癒合面は前記互いに対向する椎間関節にそれぞれ接触するように、寸法を定められかつ構成されている前記ケージ端部とを備える前記癒合ケージと、
上端及び下端を各々が有する第１固定プレート及び第２固定プレートであって、前記第１固定プレート及び前記第２固定プレートの各々は、前記互いに隣接する棘突起に沿って延び、前記上端が前記上棘突起の周囲において前記上棘突起に接触して配置され、かつ前記下端が前記下棘突起の周囲において前記下棘突起に接触して配置されるように、寸法を定められかつ構成されている前記第１固定プレート及び前記第２固定プレートと、
前記表在面から延び、かつ前記第１固定プレート及び前記第２固定プレートに連結されるコネクタとを備える脊椎インプラント装置。
【請求項２】
前記癒合ケージはケージ凹部を有する請求項１に記載の脊椎インプラント装置。
【請求項３】
前記上椎弓板間癒合面は、前記ケージ凹部まで延びる上開口部を有し、前記下椎弓板間癒合面は、前記ケージ凹部まで延びる下開口部を有する請求項２に記載の脊椎インプラント装置。
【請求項４】
前記椎間関節癒合面の各々は、前記ケージ凹部まで延びる椎間関節開口部を有する請求項２に記載の脊椎インプラント装置。
【請求項５】
前記棘間面は、その内部に、前記ケージ凹部まで延びる棘間開口部を有する請求項２に記載の脊椎インプラント装置。
【請求項６】
前記上椎弓板間癒合面及び前記下椎弓板間癒合面は凹状である請求項１に記載の脊椎インプラント装置。
【請求項７】
前記椎間関節癒合面は凸状である請求項１に記載の脊椎インプラント装置。
【請求項８】
前記棘間面は平面である請求項１に記載の脊椎インプラント装置。
【請求項９】
前記硬膜嚢面は凹状である請求項１に記載の脊椎インプラント装置。
【請求項１０】
前記硬膜嚢面は、連続的に平滑な面を画定している請求項１に記載の脊椎インプラント装置。
【請求項１１】
前記コネクタが前記第１固定プレートと前記第２固定プレートとの間に配置されるように、前記コネクタは、前記第１固定プレート及び前記第２固定プレートに連結される請求項１に記載の脊椎インプラント装置。
【請求項１２】
前記コネクタは、前記第１固定プレート及び前記第２固定プレートに枢動可能に連結される請求項１に記載の脊椎インプラント装置。
【請求項１３】
前記コネクタは、前記第１固定プレート及び前記第２固定プレートにピンによって連結される請求項１２に記載の脊椎インプラント装置。
【請求項１４】
前記第１固定プレート及び前記第２固定プレートは一体となって、前記コネクタに対して枢動するように構成されている請求項１２に記載の脊椎インプラント装置。
【請求項１５】
前記第１固定プレート及び前記第２固定プレートの各々は、前記棘突起に係合する歯を備える請求項１に記載の脊椎インプラント装置。
【請求項１６】
前記棘突起に対して前記第１固定プレート及び前記第２固定プレートを押し付けるように、寸法が定められかつ構成されている締結具により、前記コネクタは前記第１固定プレート及び前記第２固定プレートに連結される請求項１に記載の脊椎インプラント装置。
【請求項１７】
前記第１固定プレート及び前記第２固定プレートの各々は上端及び下端を有し、前記第１固定プレート及び前記第２固定プレートの各々は、前記互いに隣接する棘突起に沿って延びるとともに、前記上端が前記上棘突起の周囲において前記上棘突起に接触して配置され、かつ前記下端が前記下棘突起の周囲において前記下棘突起に接触して配置されるように、寸法を定められかつ構成されている請求項１に記載の脊椎インプラント装置。
【請求項１８】
前記上端及び前記下端の各々は、ねじ孔を有し、前記脊椎インプラント装置は、前記上端の前記ねじ孔を通って、前記上端が前記上棘突起の周囲に配置されるように延びるように寸法が定められかつ構成された第１スクリュを更に備え、前記脊椎インプラント装置は、前記下端の前記ねじ孔を通って、前記下端が前記下棘突起の周囲に配置されて延びるように寸法が定められかつ構成された第２スクリュを更に備える請求項１７に記載の脊椎インプラント装置。
【請求項１９】
前記第１スクリュ及び前記第２スクリュがラグスクリュからなる請求項１８に記載の脊椎インプラント装置。
【請求項２０】
前記第１固定プレートの前記上端の前記ねじ孔は、ねじ部を有し、前記第１スクリュにねじ式で係合するように、寸法を定められかつ構成されている請求項１９に記載の脊椎インプラント装置。
【手続補正２】
【補正対象書類名】明細書
【補正対象項目名】０００９
【補正方法】変更
【補正の内容】
【０００９】
コネクタが第１固定プレートと第２固定プレートとの間に配置されるように、コネクタを、第１固定プレート及び第２固定プレートに連結することができる。コネクタを、ピンの使用等により、第１固定プレート及び第２固定プレートに枢動可能に連結することができる。第１固定プレート及び第２固定プレートが一体となって、コネクタに対して枢動するように構成することができる。第１固定プレート及び第２固定プレートの各々は、棘突起にそれぞれ係合する歯を備え得る。コネクタを、第１固定プレート及び第２固定プレートを棘突起に押し付けるように寸法が定められかつ構成されている締結具により、コネクタは第１固定プレート及び第２固定プレートに連結される。第１固定プレート及び第２固定プレートの各々は、上端及び下端を有している。固定プレートの各々は、隣接する棘突起に沿って延びており、上端が上棘突起の周囲において上棘突起に接触して配置され、かつ下端が下棘突起の周囲において下棘突起に接触して配置されるように、その寸法を定められかつ構成される。上端及び下端の各々は、ねじ孔を有することができる。脊椎インプラント装置は、上端のねじ孔を通って、上端が上棘突起の周囲に配置されるように延びるように、寸法が定められかつ構成された第１スクリュを更に備えることができる。脊椎インプラント装置は、下端のねじ孔を通って、下端が下棘突起の周囲に配置されて延びるように、寸法が定められかつ構成された第２スクリュを更に備えることができる。第１スクリュ及び第２スクリュはラグスクリュであり得る。これに関して、第１固定プレートの上端のねじ孔は、ねじ部を有し、第１スクリュにねじ式で係合するように、その寸法を定められかつ構成される。第１固定プレートの下端のねじ孔は、ねじ部を有し、第２スクリュにねじ式で係合するように、その寸法を定められかつ構成される。
【手続補正３】
【補正対象書類名】明細書
【補正対象項目名】００４７
【補正方法】変更
【補正の内容】
【００４７】
第１固定プレート７４及び第２固定プレート７６は、上述した第１固定プレート１４及び第２固定プレート１６に類似している。しかしながら、この実施形態では、第１固定プレート７４は締結具孔７８を有し、第２固定プレート７６は締結具孔８０を有している。頭部８４、シャフト８６及びねじ部付き端部８８を含む締結具８２が提供される。締結具シャフト８６は、締結具孔７８、コネクタ１８及び締結具孔８０を通って延びる。頭部８４は非円形断面を有し、この実施形態では、頭部８４は正方形断面を有している。頭部８４は、締結具孔７８に係合した時に頭部８４の回転を防止するように締結具孔７８に係合するように、その寸法を定められかつ構成されている。シャフト８６もまた非円形断面を有し、この実施形態では、シャフト８６は正方形断面を有している。シャフト８６は、締結具孔８０に係合した時にシャフト８６の回転を防止するように構成されている。この実施形態では、第１固定プレート７４及び第２固定プレート７６は一体となって、コネクタ１８に対し枢動するように構成されている。これに関して、締結具頭部８４及びシャフト８６の断面の特定の非円形特徴により、第１固定プレート７４及び第２固定プレート７６の相対移動を係止するような係合が容易になる。またこの実施形態では、締結具８２のねじ部付き端部８８は、ナット９０にねじ式で係合するように、その寸法を定められかつ構成されている。これに関して、コネクタ１８を第１固定プレート７４及び第２固定プレート７６に連結することができ、締結具８２は、棘突起（ＳＰ４、ＳＰ５）に対して第１固定プレート７４及び第２固定プレート７６を押し付けるように、その寸法を定められかつ構成されている。